(57)【要約】【課題】閉域網に含まれ当該閉域網より小さいエリアに設置されている複数の端末装置にサービスを提供する際の設定負担を軽減することにある。【解決手段】設置されているエリアに応じた端末アドレスが割り当てられ、固有のサービス名を記憶し、端末アドレスとサービス名とを含む要求信号を閉域網を介してアクセス制御装置に送信する端末装置と、サービス名と、エリア毎に割り当てられているソースアドレスと、ソースアドレスに応じたエリアに提供されるサービス名のサービス提供装置の接続先を特定する応答情報とを対応づけて記憶する記憶部と、要求信号を受信して記憶部に記憶されている情報を参照し、要求信号に含まれる端末アドレスに対応するソースアドレスと、要求信号に含まれるサービス名との組み合わせに応じた応答情報を端末装置に送信するサービス名解決部とを含む。【選択図】図１
2011044865.tif 000002
【特許請求の範囲】
【請求項１】
複数の端末装置とサービス提供装置とに閉域網を介して接続されるアクセス制御装置を備える通信制御システムであって、
前記アクセス制御装置は、
前記サービス提供装置によって提供されるサービスを特定するサービス名と、前記端末装置が設置されるエリア毎に割り当てられた端末アドレスを表すソースアドレスと、前記ソースアドレスに応じた前記エリアに提供されるサービス名に対応する前記サービス提供装置の接続先を特定する応答情報とを対応づけて記憶する解決情報記憶部と、
前記端末装置から送信される要求信号を受信する受信部と、
前記受信部が受信する要求信号に基づいて、前記解決情報記憶部に記憶されている情報を参照し、前記要求信号に含まれる端末アドレスに対応するソースアドレスと、前記要求信号に含まれるサービス名との組み合わせに応じた応答情報を前記解決情報記憶部から読み出すサービス名解決部と、
前記サービス名解決部が読み出した応答情報を前記端末装置に送信する送信部と、
を有し、
前記端末装置は、
サービス名と自身が設置されているエリアに応じて自身に割り当てられた端末アドレスとを記憶する端末記憶部と、
前記端末記憶部に記憶された端末アドレスとサービス名とを含む要求信号を前記閉域網を介して前記アクセス制御装置に送信する送信部と、
前記アクセス制御装置から送信される応答情報を受信する受信部と、
を有することを特徴とする通信制御システム。
【請求項２】
前記通信制御システムは、
前記端末装置によって生成される前記要求信号に応じて、前記要求信号を前記閉域網に送信するか否かを判定し、前記要求信号を前記閉域網に送信しない場合、前記アクセス制御装置とは異なるアクセス制御装置であって前記閉域網に接続されるインターネットに接続されたアクセス制御装置に、前記要求信号を送信する中継装置
をさらに備えることを特徴とする請求項１に記載の通信制御システム。
【請求項３】
複数の端末装置とサービス提供装置とに閉域網を介して接続されるアクセス制御装置であって、
前記サービス提供装置によって提供されるサービスを特定するサービス名と、前記端末装置が設置されるエリア毎に割り当てられた端末アドレスを表すソースアドレスと、前記ソースアドレスに応じた前記エリアに提供されるサービス名に対応する前記サービス提供装置の接続先を特定する応答情報とを対応づけて記憶する解決情報記憶部と、
前記端末装置から送信される要求信号を受信する受信部と、
前記受信部が受信する要求信号に基づいて、前記解決情報記憶部に記憶されている情報を参照し、前記要求信号に含まれる端末アドレスに対応するソースアドレスと、前記要求信号に含まれるサービス名との組み合わせに応じた応答情報を前記解決情報記憶部から読み出すサービス名解決部と、
前記サービス名解決部が読み出した応答情報を前記端末装置に送信する送信部と、
を有することを特徴とするアクセス制御装置。
【発明の詳細な説明】
【技術分野】
【０００１】
本発明は、端末装置とサービス提供装置とが閉域網を介して接続されるものであり、特に、閉域網を介して端末装置に各種サービスを提供する通信制御システムおよびアクセス制御装置に関する。
【背景技術】
【０００２】
従来、閉域網と接続されている端末装置にサービス提供装置からサービスを提供するシステムとして、例えば、図７に示すように、一般社団法人ＩＰＴＶフォーラムによって仕様が検討されている映像配信システムがある。この映像配信のシステムの仕様は、予め端末装置の記憶部に閉域網でのみ使用されるサービス名（iptvf.jp）を記憶させておくことで、端末装置側ではインターネット等を介したネットワーク通信に用いる実世界の位置情報が不要となる等、端末側でネットワークを意識しない実装が可能となる。
また、このサービス名に基づき端末装置から網内ＤＮＳ（ Domain Name System）に問い合わせがあった場合、網内ＤＮＳがサービス名に該当するサービス提供装置と当該端末装置とを接続することにより、閉域網毎に異なるサービス（例えばコンテンツ）を提供することができる（非特許文献１参照）。
このようなＩＰＳＰでは、端末装置毎に与えられているサービス名が閉域網内の網内ＤＮＳでのみ利用することができるアドレスであるため、サービスを提供するサービス提供装置が閉域網毎に設けられている。
【先行技術文献】
【非特許文献】
【０００３】
【非特許文献１】一般社団法人ＩＰＴＶフォーラム、“ＩＰＴＶフォーラム技術仕様”、［ｏｎｌｉｎｅ］、［平成２１年３月１３日検索］、インターネット〈ＵＲＬ：http://www.iptvforum.jp/standard/index.html〉
【発明の概要】
【発明が解決しようとする課題】
【０００４】
しかしながら、閉域網に含まれ当該閉域網より小さいエリアに設置されている複数の端末装置にサービスを提供する場合、端末装置やサービス提供装置に、提供されるサービスに応じた送信先を特定する等の設定作業が必要となり、サービス提供装置の管理負担や、端末装置のユーザの作業が煩雑となる問題がある。
また、操作部等の機能が充実しているコンピュータやテレビ等の場合、上述のようなエリア毎のサービス提供に応じた設定が可能である。しかし、冷蔵庫や電子レンジ等の一般的な家電では、コストの面や、利用者の習慣容易度の観点から、サービス提供に応じた設定等を行うための複雑なインターフェースが搭載されていない方が望ましいと考えられている。このように、サービス設定を行うためのインターフェース等が搭載されていない一般的な家電では、エリア毎のサービス提供に応じた設定ができない問題がある。
【０００５】
本発明は、このような事情を考慮し、上記の問題を解決すべくなされたものであって、その目的は、閉域網に含まれ当該閉域網より小さいエリアに設置されている複数の端末装置にサービスを提供する際の設定負担を軽減することができる通信制御システムおよびアクセス制御装置を提供することにある。
【課題を解決するための手段】
【０００６】
上記問題を解決するために、本発明に係る通信制御システムは、複数の端末装置とサービス提供装置とに閉域網を介して接続されるアクセス制御装置を備える通信制御システムであって、前記アクセス制御装置は、前記サービス提供装置によって提供されるサービスを特定するサービス名と、前記端末装置が設置されるエリア毎に割り当てられた端末アドレスを表すソースアドレスと、前記ソースアドレスに応じた前記エリアに提供されるサービス名に対応する前記サービス提供装置の接続先を特定する応答情報とを対応づけて記憶する解決情報記憶部と、前記端末装置から送信される要求信号を受信する受信部と、前記受信部が受信する要求信号に基づいて、前記解決情報記憶部に記憶されている情報を参照し、前記要求信号に含まれる端末アドレスに対応するソースアドレスと、前記要求信号に含まれるサービス名との組み合わせに応じた応答情報を前記解決情報記憶部から読み出すサービス名解決部と、前記サービス名解決部が読み出した応答情報を前記端末装置に送信する送信部と、を有し、前記端末装置は、サービス名と自身が設置されているエリアに応じて自身に割り当てられた端末アドレスとを記憶する端末記憶部と、前記端末記憶部に記憶された端末アドレスとサービス名とを含む要求信号を前記閉域網を介して前記アクセス制御装置に送信する送信部と、前記アクセス制御装置から送信される応答情報を受信する受信部と、を有することを特徴とする。
【０００７】
また、本発明に係る通信制御システムは、前記端末装置によって生成される前記要求信号に応じて、前記要求信号を前記閉域網に送信するか否かを判定し、前記要求信号を前記閉域網に送信しない場合、前記アクセス制御装置とは異なるアクセス制御装置であって前記閉域網に接続されるインターネットに接続されたアクセス制御装置に、前記要求信号を送信する中継装置をさらに備えることを特徴とする。
【０００８】
さらに、本発明に係るアクセス制御装置は、複数の端末装置とサービス提供装置とに閉域網を介して接続されるアクセス制御装置であって、前記サービス提供装置によって提供されるサービスを特定するサービス名と、前記端末装置が設置されるエリア毎に割り当てられた端末アドレスを表すソースアドレスと、前記ソースアドレスに応じた前記エリアに提供されるサービス名に対応する前記サービス提供装置の接続先を特定する応答情報とを対応づけて記憶する解決情報記憶部と、前記端末装置から送信される要求信号を受信する受信部と、前記受信部が受信する要求信号に基づいて、前記解決情報記憶部に記憶されている情報を参照し、前記要求信号に含まれる端末アドレスに対応するソースアドレスと、前記要求信号に含まれるサービス名との組み合わせに応じた応答情報を前記解決情報記憶部から読み出すサービス名解決部と、前記サービス名解決部が読み出した応答情報を前記端末装置に送信する送信部と、を有することを特徴とする。
【発明の効果】
【０００９】
本発明によれば、サービス名と端末装置に付与された端末アドレスとを端末装置から受信して参照し、そのサービス名と端末アドレス名との組み合わせに応じた応答情報を特定し、要求元の端末装置に送信するようにしたので、エリアに応じた応答情報を、端末アドレスに応じて変更することができる。これにより、閉域網に含まれ当該閉域網より小さいエリアに設置されている複数の端末装置にサービスを提供する際の設定負担を軽減することができる。
また、端末装置に付与される端末アドレスを用いるようにしたので、端末装置から各種情報を入力デバイスを介して入力してもらう必要がない。これにより、端末装置に入力デバイスが許容されていないものであっても、端末装置の設置エリアに応じた柔軟なサービスを提供することができる。
【図面の簡単な説明】
【００１０】
【図１】本発明の一実施形態によるサービス提供システムの構成の一例を示すブロック図である。
【図２】本発明の一実施形態によるサービスアクセス制御装置が管理する情報の一例を説明するための概略図である。
【図３】本発明の一実施形態によるサービス提供システムの構成の一例を示すブロック図である。
【図４】本発明の一実施形態によるサービス提供方法の一例を説明するためのシーケンスフローである。
【図５】本発明の一実施形態によるサービス提供方法の他の例を説明するためのシーケンスフローである。
【図６】本発明の一実施形態によるサービス提供方法の他の例を説明するためのシーケンスフローである。
【図７】従来例を説明するためのブロック図である。
【発明を実施するための形態】
【００１１】
図１は、本実施形態に係るサービス提供システム１００の一例を説明するブロック図である。
図１に示す通り、サービス提供システム１００は、サービスアクセス制御装置１と、複数の端末装置２１，２２，・・・，２ｐ（以下、２Ｐと記す）と、複数の中継装置３１，・・・，３ｑ（以下、３Ｑと記す）と、複数のサービス提供装置４１，４２，・・・，４ｒ（以下、４Ｒと記す）と、閉域網５００と、インターネット６００と、サービス提供装置７とサービスアクセス制御装置８とを備える。
【００１２】
サービスアクセス制御装置１は、閉域網５００によって接続される中継装置３Ｑを介して端末装置２Ｐと接続され、閉域網５００を介してサービス提供装置４Ｒとに接続されている。また、サービスアクセス制御装置１は、端末装置２Ｐから送信される解決要求信号を受信し、受信した解決要求信号に応じたサービス提供装置４Ｒを特定し、そのサービス提供装置４Ｒを示す応答情報を、解決要求信号を送信した端末装置２Ｐに送信する。
また、サービスアクセス制御装置１は、端末装置２Ｐに予め与えられるサービスの名前（以下、サービス名と記す）と、端末装置２Ｐのうち少なくとも１つが設置されるエリア毎に割り当てられているソースアドレスと、ソースアドレスに応じたエリアに提供されるサービス名のサービス提供装置４Ｒの接続先を特定する応答情報とをそれぞれ対応付けるサービス名解決情報１Ａを記憶する。
【００１３】
ここで、サービスアクセス制御装置１に記憶されているサービス名解決情報１Ａについて詳細に説明する。
図２は、サービス名解決情報のデータを表す図である。この図に示す通り、サービス名解決情報１Ａでは、サービス提供装置によって提供されるサービスを特定するサービス名と、端末装置が設置されるエリア毎に割り当てられた端末アドレスを表すソースアドレスと、ソースアドレスに応じたエリアに提供されるサービス名に対応するサービス提供装置の接続先を特定する応答情報とが対応づけられる。例えば、サービス名「ad.local」と、複数のソースアドレス「12.34.56.0/24」、「34.56.78.0/24」、「56.78.90.0/24」、「78.90.12.0/24」とが対応付けられており、これらソースアドレスのそれぞれには応答情報「xx.xx.xx.1」、「xx.xx.xx.2」、「xx.xx.xx.3」、「xx.xx.xx.4」が対応付けられている。また、サービス名「recipe.local」は応答情報「xx.xx.xx.2」と、サービス名「presence.local」は応答情報「ps.com」と、それぞれ対応付けられている。
【００１４】
これにより、サービスアクセス制御装置１は、サービス名解決情報１Ａを参照して、同一のサービス名「ad.local」を含む解決要求信号を受信した場合であっても、当該解決要求信号の送信元を示すソースアドレスに応じた応答情報を特定することができ、この応答情報を、解決要求信号を送信した端末装置２Ｐに送信することができる。
また、サービスアクセス制御装置１は、サービス名が「recipe.local」あるいは「presence.local」の解決要求信号を受信した場合、ソースアドレスに関わらず、それぞれ応答情報「xx.xx.xx.2」あるいは「ps.com」を送信元の端末装置２Ｐに送信する。
【００１５】
ここで、サービス名とは、端末装置４Ｒから端末装置２Ｐに提供されるサービスを特定する名前である。本実施の形態におけるサービス名は、例えば「ad.local」「recipe.local」「presence.local」であって、端末装置２Ｐからサービスアクセス制御装置１に送信するためのドメイン名である。
ソースアドレスは、例えば、閉域網５００内にある複数のエリア（以下、地域ブロックと記す）のアドレスを特定する情報であって、後述する端末装置２Ｐ毎に割り振られる端末アドレスを少なくとも１つ含む。なお、地域ブロックとは、閉域網５００内の分割された小さな地域エリアであって、例えば、町や都市、通信基地局がカバーするエリア、同一の中継装置を利用する端末装置が設置されるエリアである。このソースアドレスは、そのエリア内に接続される端末装置に対して付与可能なアドレス群であり、端末装置が接続されると、そのエリア内で付与可能なソースアドレスのうち、いずれか１つの端末アドレスが、閉域網５００のエッジに配置される収容ルータ（エッジルータ）によって割り当てられる。従って、端末装置に割り当てられた端末アドレスを参照し、どのソースアドレスに該当するかを判定することにより、その端末装置が設置されたエリアを特定することが可能である。
【００１６】
応答情報は、例えば、ソースアドレスによって特定される端末装置２Ｐと、当該端末装置２Ｐから送信されるサービス名の組み合わせに応じて決定されるサービス提供装置４ＲのＩＰアドレスである。
【００１７】
端末装置２Ｐは、設置されているエリアに応じた端末アドレスが、自身が接続した先の中継装置によって割り当てられており、サービス提供装置４Ｒ，７によって提供されるサービスを特定するサービス名を記憶する端末記憶部を備える。端末装置２Ｒは、自身に割り当てられた端末アドレスと、記憶部に記憶されているサービス名とを含む解決要求信号を生成し、中継装置３Ｑに出力する。ここで端末アドレスとは、端末装置２Ｐが閉域網５００と接続されると、ネットワーク側（例えば中継装置）から端末装置２Ｐ毎に割り当てられるアドレスである。また、解決要求信号は、例えばサービスアクセス制御装置１あるいはサービスアクセス制御装置８に送信するためのドメイン名であって、例えば、サービスアクセス制御装置１にサービス提供装置４Ｒとの接続を要求する場合はドメイン名が「.local」であるサービス名が、サービスアクセス制御装置８にサービス提供装置７との接続を要求する場合はドメイン名が「.com」であるサービス名が予め記憶部に記憶されている。
【００１８】
この実施の形態において、端末装置２Ｐは、各家庭で使用される家庭用電化製品であって、端末装置２１は冷蔵庫、端末装置２２はテレビ、端末装置２ｐは電子レンジである場合について説明する。
端末装置２１の端末記憶部には、特定の広告Ａを提供するサービスの名前であるサービス名「ad.local」と、冷蔵庫内に保存してある内容を登録されている携帯電話に送信するサービスの名前であるサービス名「presence.local」が記憶されている。また、端末装置２１は、ソースアドレス「12.34.56.0/24」の地域ブロック内のエリアに設置されており、ソースアドレス「12.34.56.0/24」に含まれる端末アドレス２１ａｄが割り当てられている。
【００１９】
端末装置２２の記憶部（図示せず）には、特定の広告Ｂを提供するサービスの名前であるサービス名「ad.local」が記憶されている。また、端末装置２２は、ソースアドレス「34.56.78.0/24」の地域ブロック内のエリアに設置されており、ソースアドレス「34.56.78.0/24」に含まれる端末アドレス２２ａｄが割り当てられている。
端末装置２ｐの記憶部（図示せず）には、特定のレシピＣを提供するサービスの名前であるサービス名「recipe.local」が記憶されている。また、端末装置２３は、ソースアドレス「56.78.90.0/24」の地域ブロック内のエリアに設置されており、ソースアドレス「56.78.90.0/24」に含まれる端末アドレス２３ａｄが割り当てられている。
なお、これらのサービス名は、例えは、各端末装置２Ｐの製造段階において予め設定される情報である。
【００２０】
中継装置３Ｑは、サービス提供装置２Ｐから送信される解決要求信号に応じて、当該解決要求信号の送信先がサービスアクセス制御装置１あるいはサービスアクセス制御装置８であるかを判断する。中継装置３Ｑは、例えば、端末装置２Ｐから受信する解決要求信号に含まれるサービス名が「.local」を含む場合、閉域網５００を介してサービスアクセス制御装置１に解決要求信号を送信し、解決要求信号に含まれるサービス名が「.local」を含まない場合、インターネット６００を介してサービスアクセス制御装置８に解決要求信号を送信する。
また、中継装置３Ｑは、各端末装置２Ｐが接続されることで、接続された端末装置２Ｐに対して端末アドレスを割り振り、割り振られた端末アドレスと、中継装置３Ｑと各端末装置２Ｐとを接続する通信回線の回線番号とを関連付ける。
【００２１】
サービス提供装置４１，４２，・・・，４ｒは、それぞれ固有のサービスを提供するサーバであって、それぞれに閉域網５００を介して通信するドメイン「xx.xx.xx.1」，「xx.xx.xx.2」，・・・，「xx.xx.xx.r」が与えられている。
【００２２】
閉域網５００は、端末装置２Ｐとサービス提供装置４Ｒとを接続するネットワークであって、サービスアクセス制御装置１によって通信が制御される。また、閉域網５００はインターネット６００と接続されている。
【００２３】
サービスアクセス制御装置８は、インターネット６００と接続され、インターネット側の通信を制御する。また、サービスアクセス制御装置８は、サービス名解決情報８Ａに基づき、インターネット６００を介して解決要求信号のサービス名「ps.com」を受信した場合、サービス提供装置７のドメイン名「yy.yy.yy.1」を端末装置２Ｐに送信する。
サービス提供装置７は、サービス名「ps.com」に応じたサービスを提供するサーバである。
【００２４】
次に、図３を用いてサービス提供システム１００の各構成と機能について、さらに説明する。
図３に示す通り、サービスアクセス制御装置１は、アクセス制御ＤＢ（データベース）１１と、制御情報登録部１２と、サービス名解決部１３と、受信部１５と送信部１６とを備える。
アクセス制御ＤＢ１１は、サービス名解決情報１Ａを記憶する制御情報記憶部１４（解決情報記憶部）を含む。
制御情報登録部１２は、ソースアドレス毎に提供されるサービスのサービス名と、当該サービスを提供するサービス提供装置４Ｒを、制御情報記憶部１４に記憶させる。これにより、エリア毎に提供されるサービスがサービス名解決情報１Ａに登録される。なお、この場合、操作部（図示せず）を介して、サービスアクセス制御装置１の管理者によって、登録情報が入力されてもよい。
【００２５】
サービス名解決部１３は、受信部１５が受信する要求信号に基づいて、制御情報記憶部１４に記憶されているサービス名解決情報１Ａを参照して、要求信号に含まれる端末アドレスに対応するソースアドレスと、要求信号に含まれるサービス名との組み合わせに応じた応答情報を制御情報記憶部１４から読み出す。
送信部１６は、サービス名解決部１３が読み出した応答情報を閉域網５００を介して、解決要求信号に含まれる端末アドレスの端末装置に送信する。
【００２６】
各中継装置３Ｑは、中継部３０１，・・・，３０ｑ（以下、中継部３０Ｑという）をそれぞれ備える。各中継部３０Ｑは、接続された端末装置２Ｐに対して、端末装置２Ｐが設定されているエリアを特定する端末アドレスを割り振る。
また上述の通り、各中継部３０Ｑは、各端末装置２Ｐから受信した解決要求信号のサービス名に従って、解決要求信号の送信先がサービスアクセス制御装置１あるいはサービスアクセス制御装置８であるかを判断する。
【００２７】
サービスアクセス制御装置８は、アクセス制御ＤＢ（データベース）８１と、制御情報登録部８２と、サービス名解決部３３とを備え、各構成は、サービスアクセス制御装置１の各構成と概ね同様の機能を有する。つまり、アクセス制御ＤＢ８１は、サービス名と応答情報とが対応付けられたサービス名解決情報８Ａを記憶する制御情報記憶部１４を含み、制御情報登録部８２は、サービス名解決情報８Ａにサービス提供装置７が提供するサービス名とサービス提供装置７のアドレスを示す応答情報を登録する。また、サービス名解決部８３は、インターネット６００を介して端末装置２Ｐから送信された解決要求信号を受信し、サービス名解決情報８Ａに基づき、解決要求信号に含まれるサービス名と対応付けられている応答情報を検出し、検出した応答情報を解決要求信号に含まれる端末アドレスの端末装置２Ｐに送信する。
【００２８】
端末装置２ｐにおいて、端末記憶部２１ａは、サービス名と自身が設置されているエリアに応じて自身に割り当てられた端末アドレスとを記憶する。送信部２１ｂは、端末記憶部２１ａに記憶された端末アドレスとサービス名とを含む要求信号を閉域網５００を介してアクセス制御装置１に送信する。受信部２１ｃは、アクセス制御装置１から送信される応答情報を受信する。
【００２９】
次に、図４〜６を用いて、本実施の形態に係るサービス提供方法について説明する。
図４は、本発明の一実施形態によるサービス提供方法の一例を説明するためのシーケンスフローである。
図４に示す通り、端末装置２１が、ソースアドレス「12.34.56.0/24」の地域ブロックに含まれる端末アドレス２１ａｄとサービス名「ad.local」を含む解決要求信号を出力すると（ステップＳＴ１）、中継装置３１は、解決要求信号に含まれるサービス名「ad.local」が「.local」を含むか否かを判断する。ここで解決要求信号のサービス名は「.local」を含むものであるため、中継装置３１は、閉域網５００と接続されているサービスアクセス制御装置１に解決要求信号を送信する（ステップＳＴ２）。
サービスアクセス制御装置１が解決要求信号を受信すると、サービス名解決部１３は、制御情報記憶部１４に記憶されているサービス名解決情報１Ａを参照して、解決要求信号に含まれる端末アドレス２１ａｄに対応するソースアドレス「12.34.56.0/24」と、解決要求信号に含まれるサービス名「ad.local」との組み合わせに応じた応答情報「xx.xx.xx.1」を検出する（ステップＳＴ３）。そして、サービスアクセス制御装置１は、端末アドレス２１ａｄと応答情報「xx.xx.xx.1」を含む応答信号を生成し、中継装置３１を介して端末装置２１に送信する（ステップＳＴ４）。
これにより、端末装置２１は、受信した応答情報「xx.xx.xx.1」に従ってサービス提供装置４１にアクセスし、サービスの提供を受ける（ステップＳＴ５）。
【００３０】
一方、端末装置２２が、ソースアドレス「34.56.78.0/24」の地域ブロックに含まれる端末アドレス２２ａｄとサービス名「ad.local」を含む解決要求信号を出力すると（ステップＳＴ６）、中継装置３１は、解決要求信号に含まれるサービス名「ad.local」が「.local」を含むか否かを判断する。ここで解決要求信号のサービス名は「.local」を含むものであるため、中継装置３１は、閉域網５００と接続されているサービスアクセス制御装置１に解決要求信号を送信する（ステップＳＴ７）。
サービスアクセス制御装置１が解決要求信号を受信すると、サービス名解決部１３は、制御情報記憶部１４に記憶されているサービス名解決情報１Ａを参照して、解決要求信号に含まれる端末アドレス２２ａｄに対応するソースアドレス「34.56.78.0/24」と、解決要求信号に含まれるサービス名「ad.local」との組み合わせに応じた応答情報「xx.xx.xx.2」を検出する（ステップＳＴ８）。そして、サービスアクセス制御装置１は、端末アドレス２２ａｄと応答情報「xx.xx.xx.2」を含む応答信号を生成し、中継装置３１を介して端末装置２２に送信する（ステップＳＴ９）。
これにより、端末装置２２は、受信した応答情報「xx.xx.xx.2」に従ってサービス提供装置４１にアクセスし、コンテンツを受信することによって、サービスの提供を受ける（ステップＳＴ１０）。
【００３１】
次に、図５を用いて、本発明の一実施形態によるサービス提供方法の他の例を説明する。図５は、本発明の一実施形態によるサービス提供方法の他の例を説明するためのシーケンスフローである。
図５に示す通り、端末装置２１が、ソースアドレス「12.34.56.0/24」の地域ブロックに含まれる端末アドレス２１ａｄとサービス名「presence.local」を含む解決要求信号を出力すると（ステップＳＴ２１）、中継装置３１は、解決要求信号に含まれるサービス名「presence.local」が「.local」を含むか否かを判断する。ここで解決要求信号のサービス名は「.local」を含むものであるため、中継装置３１は、閉域網５００と接続されているサービスアクセス制御装置１に解決要求信号を送信する（ステップＳＴ２２）。
サービスアクセス制御装置１が解決要求信号を受信すると、サービス名解決部１３は、制御情報記憶部１４に記憶されているサービス名解決情報１Ａを参照して、解決要求信号に含まれる端末アドレス２１ａｄに対応するソースアドレス「12.34.56.0/24」と、解決要求信号に含まれるサービス名「presence.local」との組み合わせに応じた応答情報「ps.com」を検出する（ステップＳＴ２３）。そして、サービスアクセス制御装置１は、端末アドレス２１ａｄと応答情報「ps.com」を含む応答信号を生成し、中継装置３１を介して端末装置２１に送信する（ステップＳＴ２４）。
【００３２】
これにより、端末装置２１は、受信した応答情報「ps.com」と端末アドレス２１ａｄを含む解決要求信号を中継装置３１に送信する（ステップＳＴ２５）。そして、中継装置３１は、サービス名「ps.com」が「.local」を含むか否かを判断する。ここで解決要求信号のドメインは「.local」ではないため、インターネット６００を介してサービスアクセス制御装置８に解決要求信号を送信する（ステップＳＴ２６）。
サービスアクセス制御装置８は、解決要求信号を受信すると、サービス名「ps.com」に基づき、サービス名解決情報８Ａを参照して、応答情報「yy.yy.yy.1」を検出する（ステップＳＴ２７）。そして、サービスアクセス制御装置８は、中継装置３１を介して、解決要求信号に含まれる端末アドレス２１ａｄの端末装置２１に応答情報「yy.yy.yy.1」を送信する（ステップＳＴ２８）。
これにより、端末装置２２は、受信した応答情報「yy.yy.yy.1」に従ってサービス提供装置７にアクセスし、コンテンツを受信することによって、サービスの提供を受ける（ステップＳＴ２９）。
【００３３】
なお、例えば、端末装置２Ｐは、予めインターネット６００を介してサービスアクセス制御装置８にサービスを要求するサービス名「ps.com」が設定されてものであってもよい。
この場合、図６に示す通り、端末装置２１は、サービス名「ps.com」を含む解決要求信号を中継装置３１に送信する（ステップＳＴ４１）。そして、中継装置３１は、解決要求信号に含まれるサービス名「ps.com」が「.local」を含むか否かを判断し、「.local」を含まないため、インターネット６００を介してサービスアクセス制御装置８に解決要求信号を送信する（ステップＳＴ４２）。
サービスアクセス制御装置８は、解決要求信号を受信すると、サービス名「ps.com」に基づき、サービス名解決情報８Ａを参照して、応答情報「yy.yy.yy.1」を検出する（ステップＳＴ４３）。そして、サービスアクセス制御装置８は、中継装置３１を介して端末装置２２に応答情報「yy.yy.yy.1」を送信する（ステップＳＴ４４）。
これにより、端末装置２１は、受信した応答情報「yy.yy.yy.1」に従ってサービス提供装置７にアクセスし、サービスの提供を受ける（ステップＳＴ４５）。
【００３４】
なお、本実施の形態に係るサービスアクセス制御装置１やサービス提供システム１００は、上述の構成に限られず、種々の変更や置換え等が可能である。
例えば、中継装置３Ｑは、端末装置２Ｐと閉域網５００との間に接続されるものとして説明したが、本発明はこれに限られず、例えば、端末装置２Ｐ内に組み込まれる構成であってもよい。
また、サービス提供装置４Ｒは、１つのサービス提供装置において複数のドメインが設定可能な場合、少なくとも１つのサービス提供装置を含むものであればよい。
さらに、閉域網５００は、インターネット６００と接続される任意の閉域網であって、インターネット６００には、他の閉域網が接続されていてもよい。
【００３５】
また、ソースアドレスは、中継装置３Ｑ毎に与えられる固有のＩＰアドレスであってもよく、現実世界において特定の地域に存在する複数の中継装置３Ｑに対して同一のソースアドレスが与えられてもよい。
さらに、サービス提供装置が提供するサービスは、上述のサービスに限らず、サービス提供装置４Ｒに様々なサービスを設定、変更、追加することができる。なお、上述のサービス名「presence.local」のサービスは、端末装置２１の冷蔵庫が、保存している食品の種類や数等をデータとして管理している場合、冷蔵庫内の食品等の情報が更新されると、サービス名「presence.local」を含む解決要求信号を送信するものである。この場合、サービス提供装置７は、インターネット６００を介してユーザの携帯電話に冷蔵庫内の食品の情報を送信するサービスを提供するものである。
【００３６】
上述の通り、本実施の形態に係るサービスアクセス制御装置１は、少なくとも１つの端末アドレスに対応するエリアを特定するソースアドレスと、サービス提供装置のサービス名と、サービス提供装置のアドレス（応答情報）とを対応付けるサービス名解決情報１Ａを備えることにより、サービスアクセス制御装置１が、解決要求信号を受信することで、当該解決要求信号を送信する端末装置２Ｐの現実世界での位置を特定し、当該端末装置２Ｐとサービス提供装置４Ｒとの通信を制御することができる。これにより、サービスアクセス制御装置１は、閉域網５００内を分割する地域ブロック毎に、サービス提供装置４Ｒの設定変更が可能となり、閉域網５００よりも小さい地域ブロック単位でのアクセス制御を行うことができる。
【００３７】
よって、サービスアクセス制御装置１は、閉域網５００単位や地域ブロック単位で、地域特性のあるサービス（例えば、端末装置２Ｐの近所にあるお店の広告情報や、地域の味やメニューに特化したレシピ情報の配信）を提供することができる。
さらに、サービス提供装置４Ｒは、地域ブロック単位で提供するサービスを追加する場合であっても、サービスアクセス制御装置１のサービス名解決情報１Ａに、自身のアドレスとサービス名と対応付けて、各地域ブロックに応じたソースアドレス毎に登録されることで、端末装置２Ｐに提供するサービスを追加することができ、サービスの追加や増設を容易に行うことができる。
従って、本実施の形態に係るサービス提供システム１００は、サービス提供装置４Ｒから複数のサービスを（例えば、複数のサービス提供装置４Ｒからそれぞれ固有のサービスを、あるいは、サービス提供装置４１から複数のサービスを）、端末装置２Ｐに提供する場合、サービスアクセス制御装置１に、サービス名に対応するソースアドレスや応答等を登録すればよく、サービス毎に、中継装置３Ｑや閉域網５００の設定を変更する必要がない。
このため、サービス提供装置４Ｒが、複数のサービスを端末装置２Ｐに提供する際の設定負荷を軽減することができる。
【００３８】
また、中継装置３Ｑによって、中継装置３Ｑが設置されている現実世界におけるエリアに基づく端末アドレスが端末装置２Ｐに与えられる。このため、端末装置２Ｐ側から操作部等を用いてサービスアクセス制御装置１やサービス提供装置４Ｒ等に対して、エリアの登録を行うことなく、端末装置２Ｐのアドレス（ネットワーク上での位置）と位置情報（現実世界における位置）を関連付けることができる。これにより、冷蔵庫や電子レンジ等の自由度の高い情報の入力を許容する構成を有しない家電であっても、本実施の形態に係る端末装置２Ｐとして、サービス提供システム１００を利用することができる。
【００３９】
さらに、端末装置２Ｐが、閉域網５００内に存在しないサービス提供装置からサービスを受けたい場合は、インターネット６００を介してサービスアクセス制御装置８に対してサービス提供装置７のサービスの提供を要求することができる。これにより、閉域網５００内のサービス提供装置４Ｒのサービスに加えて、インターネット６００側のサービス提供装置７によるサービスも端末装置２Ｐに提供することができる。
【００４０】
また、サービスアクセス制御装置１のサービス名解決情報１Ａに登録される応答情報を、閉域網５００上のアドレスあるいはインターネット６００上のドメインにすることで、ネットワーク網ごとにサービス提供装置を使い分けることができる。例えば、地域に関する情報を提供するサービスの場合は閉域網５００を利用し、地域に関する情報でない情報を提供するサービスの場合はインターネット６００を利用することができる。これにより、閉域網５００内でのサービス提供装置４Ｒの増設が不要となり、インターネット６００側のサービス提供装置７を利用してサービスの充実を図ることができる。
【００４１】
なお、本実施の形態において、ソースアドレスによって特定される地域ブロックは、例えば、同一の中継装置に対して複数の端末装置が接続されるエリアであってもよく、中継装置が回線毎に接続される家庭単位であってもよい。
【符号の説明】
【００４２】
１…サービスアクセス制御装置、１１…アクセス制御ＤＢ、１２…制御情報登録部、１３…サービス名解決部、１４…制御情報記憶部、２Ｐ…端末装置、３Ｑ…中継装置、４Ｒ…サービス提供装置、５００…閉域網、６００…インターネット、７…サービス提供装置、８…サービスアクセス制御装置。
【図１】
2011044865.tif 000003
【図２】
2011044865.tif 000004
【図３】
2011044865.tif 000005
【図４】
2011044865.tif 000006
【図５】
2011044865.tif 000007
【図６】
2011044865.tif 000008
【図７】
2011044865.tif 000009